(57)【要約】      （修正有）【課題】壁面への取付孔の設置を最小限にでき、あるいは壁面を使用しなくても、立体的に多種類のごみの分別が可能なハンガー式ごみ収納装置を提供することを目的とする。【解決手段】フレーム枠体１に多段に設置された横パイプ３に対してごみ袋Ｒを吊り下げるように構成したハンガー式ごみ収納装置において、フック部材６およびごみ投入口８を備えたハンガー式吊り具５を介してごみ袋Ｒを係止して吊り下げるように構成したことにより、ハンガー式吊り具５にごみ投入口８が設けられていることによって、ハンガー式吊り具５に吊り下げられたごみ袋Ｒに容易にごみを投入することができ、しかもごみ収容単位を、格別に大きなスペースを占めることなく、多段に設置された横パイプ３にフック部材６を介して多数個数を吊り下げて、多種類のごみの分別に対応可能となる。【選択図】図１
2006298593.tif 000002
【特許請求の範囲】
【請求項１】
フレーム枠体に多段に設置された横パイプに対してごみ袋またはごみ箱を吊り下げるように構成したハンガー式ごみ収納装置において、フック部材およびごみ投入口を備えたハンガー式吊り具を介してごみ袋またはごみ箱を係止して吊り下げるように構成したことを特徴とするハンガー式ごみ収納装置。
【請求項２】
前記ハンガー式吊り具が、フック部材の両側に一対のごみ袋の把手挿入部を配設したことを特徴とする請求項１に記載のハンガー式ごみ収納装置。
【請求項３】
前記ごみ袋の把手挿入部が、フック部材の両側に配設された一対の吊り具ブラケットに対してそれぞれ復元軸着されたことを特徴とする請求項２に記載のハンガー式ごみ収納装置。
【請求項４】
前記ごみ袋の把手挿入部と吊り具ブラケットとの間に、ごみ袋の上縁部挟持用の突起部および溝部が形成されたことを特徴とする請求項３に記載のハンガー式ごみ収納装置。
【請求項５】
前記ハンガー式吊り具が放射枠または横架枠にフック部材を設置した枠部材から構成され、該枠部材にごみ袋またはごみ箱を係止して吊り下げるように構成したことを特徴とする請求項１に記載のハンガー式ごみ収納装置。
【請求項６】
前記枠部材の周囲にごみ袋上縁部係止用の係止溝を形成するとともに、該係止溝に係止したごみ袋上縁部を挟持して係止バンドを係止自在に装着したことを特徴とする請求項５に記載のハンガー式ごみ収納装置。
【請求項７】
前記枠部材の下部両側にごみ箱の上部両側の挿入フランジを受け入れる受け溝部を形成したことを特徴とする請求項５に記載のハンガー式ごみ収納装置。
【請求項８】
前記ハンガー式吊り具が係止溝を形成した多数の鋲部材が設置された枠部材から構成され、これらの係止溝に係止したごみ袋上縁部を挟持して係止バンドを係止自在に装着したことを特徴とする請求項１に記載のハンガー式ごみ収納装置。
【請求項９】
前記フレーム枠体にカーテン等の目隠し部材を設置したことを特徴とする請求項１から８のいずれかに記載のハンガー式ごみ収納装置。
【請求項１０】
前記フレーム枠体がキャスターにより自走式構成とされたことを特徴とする請求項１から９のいずれかに記載のハンガー式ごみ収納装置。
【請求項１１】
前記フレーム枠体および横パイプが横方向に伸縮自在に構成されたことを特徴とする請求項１から１０ののいずれかに記載のハンガー式ごみ収納装置。
【発明の詳細な説明】
【技術分野】
【０００１】
本発明は、フレーム枠体に多段に設置された横パイプに対してごみ袋またはごみ箱を吊り下げるように構成したハンガー式ごみ収納装置に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そのようなことから、小さな事業所や家庭等でも使用できる比較的小さなごみ箱を利用して床上にスペースを要さないものとして、壁掛けタイプのごみ箱が提案された（例えば下記特許文献１参照）。
【特許文献１】特開平７−２７７４０１号公報（請求項１参照）
【発明の開示】
【発明が解決しようとする課題】
【０００３】
前記特許文献１に開示されたごみ箱は、図１０に示すように、ごみ箱の投入口５１および底５２を手前が狭くなるように斜めに傾斜をつけて、壁面５３等を利用して空中に設置したものである。このように構成することにより、既存のごみ箱（図示省略）の上部の壁面に設置した場合には、あたかも多段式ごみ箱を設置するのと同様の効果が得られる上に、壁面５３に設置したごみ箱の底５２を斜めにしてあることによって、下部の床上に設置した既存のごみ箱の投入口が見易く、ごみを容易に投入することができる。ごみの分別のために、さらに壁面５３の上部に別のごみ箱を順次設置した場合でも、各ごみ箱へのごみの投入が容易にできる。
【０００４】
しかしながら、このような壁掛け式のごみ箱にあって、多種類のごみの分別に対応させるためには、壁面５３に多数のごみ箱を上下に、さらには横方向に設置する必要があり、ごみ箱毎に取付孔を開けて壁面５３を損傷させる等して、多数の設置には限界があった。
【０００５】
そこで本発明は、前記従来の分別用ごみ箱の諸課題を解決して、壁面への取付孔の設置を最小限にでき、あるいは壁面を使用しなくても、立体的に多種類のごみの分別が可能なハンガー式ごみ収納装置を提供することを目的とする。
【課題を解決するための手段】
【０００６】
そのため本発明は、フレーム枠体に多段に設置された横パイプに対してごみ袋またはごみ箱を吊り下げるように構成したハンガー式ごみ収納装置において、フック部材およびごみ投入口を備えたハンガー式吊り具を介してごみ袋またはごみ箱を係止して吊り下げるように構成したことを特徴とする。また本発明は、前記ハンガー式吊り具が、フック部材の両側に一対のごみ袋の把手挿入部を配設したことを特徴とする。また本発明は、前記ごみ袋の把手挿入部が、フック部材の両側に配設された一対の吊り具ブラケットに対してそれぞれ復元軸着されたことを特徴とする。また本発明は、前記ごみ袋の把手挿入部と吊り具ブラケットとの間に、ごみ袋の上縁部挟持用の突起部および溝部が形成されたことを特徴とする。また本発明は、前記ハンガー式吊り具が放射枠または横架枠にフック部材を設置した枠部材から構成され、該枠部材にごみ袋またはごみ箱を係止して吊り下げるように構成したことを特徴とする。また本発明は、前記枠部材の周囲にごみ袋上縁部係止用の係止溝を形成するとともに、該係止溝に係止したごみ袋上縁部を挟持して係止バンドを係止自在に装着したことを特徴とする。また本発明は、前記枠部材の下部両側にごみ箱の上部両側の挿入フランジを受け入れる受け溝部を形成したことを特徴とする。また本発明は、前記ハンガー式吊り具が係止溝を形成した多数の鋲部材が設置された枠部材から構成され、これらの係止溝に係止したごみ袋上縁部を挟持して係止バンドを係止自在に装着したことを特徴とする。また本発明は、前記フレーム枠体にカーテン等の目隠し部材を設置したことを特徴とする。また本発明は、前記フレーム枠体がキャスターにより自走式構成とされたことを特徴とする。また本発明は、前記フレーム枠体および横パイプが横方向に伸縮自在に構成されたことを特徴とするもので、これらを課題解決のための手段とするものである。
【発明の効果】
【０００７】
本発明では、フレーム枠体に多段に設置された横パイプに対してごみ袋またはごみ箱を吊り下げるように構成したハンガー式ごみ収納装置において、フック部材およびごみ投入口を備えたハンガー式吊り具を介してごみ袋またはごみ箱を係止して吊り下げるように構成したことにより、ハンガー式吊り具にごみ投入口が設けられていることによって、ハンガー式吊り具に吊り下げられたごみ袋またはごみ箱に容易にごみを投入することができ、しかもごみ収容単位が、格別に大きなスペースを占めることなく、多段に設置された横パイプにフック部材を介して多数個数を吊り下げることができ、多種類のごみの分別に対応可能となる。
【０００８】
また、前記ハンガー式吊り具が、フック部材の両側に一対のごみ袋の把手挿入部を配設した場合は、把手が形成された既存のレジ袋等をごみ収容単位を構成するごみ袋として使用することができる。さらに、前記ごみ袋の把手挿入部が、フック部材の両側に配設された一対の吊り具ブラケットに対してそれぞれ復元軸着された場合は、把手が形成された既存のレジ袋等の使用はもとより、吊り具ブラケットに対して復元軸着された把手挿入部との間にて単純形状のごみ袋の上縁部を挟持する形態にてごみ袋をも吊り下げて使用することができる。
【０００９】
さらにまた、前記ごみ袋の把手挿入部と吊り具ブラケットとの間に、ごみ袋の上縁部挟持用の突起部および溝部が形成された場合は、これらの突起部と溝部との係合によりごみ袋の上縁部が迷路効果により、より確実に係止挟持されて多量のごみの収容が可能となる。また、前記ハンガー式吊り具が放射枠または横架枠にフック部材を設置した枠部材から構成され、該枠部材にごみ袋またはごみ箱を係止して吊り下げるように構成した場合は、フック部材を設置するために設けられる放射枠または横架枠と、枠部材本体との間に形成されるごみ投入口から容易にごみを投入することができる。
【００１０】
さらに、前記枠部材の周囲にごみ袋上縁部係止用の係止溝を形成するとともに、該係止溝に係止したごみ袋上縁部を挟持して係止バンドを係止自在に装着した場合は、単純形状のごみ袋を使用しても、ごみ袋上縁部を枠部材の全周に形成された係止溝にて面圧低く、係止バンドとの間にて係止して挟持されるので、ごみ袋を強固に保持することが可能となる。さらにまた、前記枠部材の下部両側にごみ箱の上部両側の挿入フランジを受け入れる受け溝部を形成した場合は、立体的に空間を利用したごみ収納単位としてごみ箱を使用することができるので、ごみの種類を選ばずに収容するのに適する。
【００１１】
また、前記ハンガー式吊り具が係止溝を形成した多数の鋲部材が設置された枠部材から構成され、これらの係止溝に係止したごみ袋上縁部を挟持して係止バンドを係止自在に装着した場合は、多数の鋲部材の中、ごみ袋のサイズに最適な幾つかを選定して使用することができ、あらゆるサイズのごみ袋の使用が可能となる。さらに、前記フレーム枠体にカーテン等の目隠し部材を設置した場合は、透明のごみ袋を使用した場合等、内容物が外部に露呈することが有効に防止できて、見栄えがよくなる。
【００１２】
さらにまた、前記フレーム枠体がキャスターにより自走式構成とされた場合は、フレーム枠体を壁掛けタイプのように固定せずに、移動したい場所に自由に移動することができて、ごみの廃棄場所を自由に選定することができる上、ごみの廃棄のためにごみの収集場所に容易にフレーム枠体ごと運搬することが可能となる。また、前記フレーム枠体および横パイプが横方向に伸縮自在に構成された場合は、分別するごみの種類に応じて、横パイプを伸縮させることができるので、スペースをより有効に活用することができる。
【発明を実施するための最良の形態】
【００１３】
以下、本発明の実施例を図面に基づいて詳細に説明する。本発明のハンガー式ごみ収納装置の基本的な構成は、図１に示すように、フレーム枠体１に多段に設置された横パイプ３に対してごみ袋Ｒまたはごみ箱を吊り下げるように構成したハンガー式ごみ収納装置において、フック部材６およびごみ投入口８を備えたハンガー式吊り具５を介してごみ袋Ｒまたはごみ箱を係止して吊り下げるように構成したことを特徴とする。
【実施例１】
【００１４】
図１は本発明のハンガー式ごみ収納装置の第１実施例で、壁掛け型のフレーム枠体の横パイプにごみ収納単位が吊り下げられた状態を示す全体斜視図である。縦枠１Ａ、１Ａおよび横枠１Ｂ、１Ｂから構成されたフレーム枠体１が取付ビス４等を介して壁面Ｗに取り付けられる。縦枠１Ａ、１Ａの前面には、多段に左右一対のブラケット２、２が設置され、これらのブラケット２、２間に横パイプ３が渡設される。無論、横パイプ３は中空に限定されずに、中実であってもよい。その断面形状も円形の他、角形、多角形等適宜形状が採用され得る。該多段に設置された横パイプ３に対して、適宜位置にごみ収納単位である、レジ袋等の把手の付いたごみ袋Ｒを係止したハンガー式吊り具５が吊り下げられるものである。
【００１５】
ハンガー式吊り具５は、フック部材６の両側に一対のごみ袋の把手挿入部７、７を配設したもので、該把手挿入部７の狭く形成された挿入部を幾分押し広げて、既存のレジ袋Ｒの把手を挿入係止するものである。したがって、把手挿入部７はやや弾性を有する素材から構成されることが好ましい。かくして、レジ袋Ｒ等の把手が形成されたごみ袋にてごみ収容単位を構成させることができる。台板によってフック部材６が介設される一対のごみ袋の把手挿入部７、７の空間を、ごみ投入口８として利用することができるので、このごみ投入口８から吊り下げたままのごみ袋Ｒにごみを容易に投入することができる。
【実施例２】
【００１６】
図２は本発明のハンガー式ごみ収納装置の第２実施例で、ハンガー式吊り具の正面図である。本実施例では、前記実施例１におけるごみ袋の把手挿入部７が、フック部材６の両側に配設された一対の吊り具ブラケット９、９に対してそれぞれ復元軸着されたもので、把手の付いたレジ袋Ｒに加えて、把手が形成されていない単純形状のごみ袋Ｇの使用も可能にしたものである。各把手挿入部７が、吊り具ブラケット９に対してばねヒンジ１０により復元方向（矢印Ａの摘み方向と反対方向）に付勢されて軸着されている。このような構成により、把手挿入部７へのレジ袋の挿入係止により、前記実施例１のような使用方法を可能とすることはもとより、把手挿入部７とブラケット９との間に通常の単純形状のごみ袋Ｇの上縁部を挟持させて吊り下げることができる。好適には、前記ごみ袋の把手挿入部７と吊り具ブラケット９との間に、ごみ袋Ｇの上縁部挟持用の突起部７Ａおよび溝部９Ａが形成される。これらの突起部７Ａと溝部９Ａとの係合によりごみ袋Ｇの上縁部が迷路効果により、より確実に係止挟持されて多量のごみの収容が可能となる
【実施例３】
【００１７】
図３は本発明のハンガー式ごみ収納装置の第３実施例で、係止バンドを用いた枠部材からなるハンガー式吊り具の斜視図である。本実施例では、ハンガー式吊り具５が、放射枠１２にフック部材６を設置した枠部材１１から構成され、該枠部材１１にごみ袋を係止して吊り下げるように構成したもので、フック部材６を設置するために設けられる放射枠１２と枠部材１１本体との間に形成されるごみ投入口８から容易にごみを投入することができる。前記枠部材１１の周囲には、ごみ袋Ｇの上縁部係止用の係止溝１３を形成するとともに、該係止溝１３に係止したごみ袋Ｇの上縁部を挟持して係止バンド１５を係止自在に装着する。かくして、単純形状のごみ袋Ｇを使用しても、ごみ袋の上縁部を枠部材１１の全周に形成された係止溝１３にて面圧低く、係止バンド１５との間にて係止して挟持されるので、ごみ袋Ｇを強固に保持することが可能となる。係止バンド１５としては、無端状のゴムバンドでもよいし、図示の例のように、枠部材１１の平面視形状の隅部形状に整合する硬質部材１６とこれらを結ぶスプリング等の弾性部材１７とで構成してもよい。
【実施例４】
【００１８】
図４は本発明のハンガー式ごみ収納装置の第４実施例で、鋲部材が設置された枠部材から構成されたハンガー式吊り具の斜視図である。周辺部のみから構成された正方形の枠部材１１の対向する辺部にそれぞれフック部材６、６が設置され、枠部材１１の全周上面には多数の鋲孔１８が形成されこれらの各孔１８には、係止溝１９Ａを形成した鋲部材１９が設置される。これらの鋲部材１９の係止溝１９Ａに係止したごみ袋上縁部を挟持して係止バンド１５を係止する。多数の鋲部材１９の中、ごみ袋のサイズに最適な幾つかを選定して使用することができ、あらゆるサイズのごみ袋の使用が可能となる。係止バンド１５としては、図示のものの他、前記図３のようなものも採用できる。ごみ袋上縁部は、各鋲部材１９の係止溝１９Ａに係止バンド１５との間にて強固に挟持されるので、ごみ袋に収納廃棄されるごみの量が増大しても妄りに落下することがない。符号１９Ｂは挿入時のストッパフランジを示す。
【実施例５】
【００１９】
図５は本発明のハンガー式ごみ収納装置の第５実施例で、復元軸着式の変形型のハンガー式吊り具の斜視図である。本実施例のものは、基本的には前記実施例２のものと同様の構造であるが、把手付きのレジ袋等を挿入係止できる把手挿入部７として、吊り具ブラケット９に対して復元軸着された摘み板１４と別体にてばね板状の部材を用いたものである。挿入口が狭くなっているのは前記実施例２のものと同様で、これにより、挿入係止されたレジ袋等の把手が妄りに外れることがない。摘み板１４の上縁部にはピン部材２０が設置されており、適宜の追加ごみ袋等を掛けるのに使用される。
【実施例６】
【００２０】
図６は本発明のハンガー式ごみ収納装置の第６実施例で、ごみ箱が吊り下げられたハンガー式吊り具の斜視図である。本実施例では、ハンガー式吊り具５として、ごみ箱２２を吊り下げるように構成したものである。周辺部から構成され、かつごみ投入口８を残して横架枠１２Ａが渡設された枠部材１１の下部両側に、ごみ箱２２の上部両側の挿入フランジ２４、２４を受け入れる受け溝部２１、２１を形成したもので、立体的に空間を利用したごみ収納単位としてごみ箱２２を使用することができるので、ごみの種類を選ばずに収容するのに適する。また、前記枠部材１１の上面には鋲部材１９が設置され、適宜の追加ごみ袋等を掛けるのに使用されてもよいし、ごみ箱２２を使用しない場合に、前記図４の実施例のように多数の鋲部材を設置してごみ袋を吊り下げるように構成してもよい。
【実施例７】
【００２１】
図７は本発明のハンガー式ごみ収納装置の第７実施例で、区画板型のハンガー式吊り具の斜視図である。本実施例のものは、複数列の平板状の区画板２６を連結板２５によって連結して構成したもので、適宜の区画板２６の複数を選択使用することで、把手が付いたレジ袋等を区画板２６に係止して使用するもので、区画板２６間の間隔がごみ投入口を形成する。中央の区画板２６にフック部材６が設置され、最外側の区画板２６には掛けピン２７が設置されて、適宜の追加ごみ袋等を掛けるのに使用される。
【実施例８】
【００２２】
図８は本発明のハンガー式ごみ収納装置の第８実施例で、自走式でフレーム枠体および横パイプが伸縮する型の全体斜視図である。本実施例のものは、分別するごみの種類の数に対応可能に構成したもので、フレーム枠体および横パイプを伸縮可能に構成した。フレーム枠体１については、縦枠１Ａに対して横枠１Ｂが伸縮可能に構成するために、横枠１Ｂを、横太枠１Ｂ−２に対して摺動自在に嵌合する横細枠１Ｂ−１を設置したものである。横パイプ３については、横太パイプ３Ｂに対して摺動自在に嵌合する横細パイプ３Ａを設置した。これにより、分別するごみの種類の多寡に応じて、横枠１Ｂおよび横パイプ３を伸縮させることで、スペースをより有効に活用することができる。
【００２３】
また、これらの横パイプ３が多段に設置されたフレーム枠体１の底枠１Ｄの底部には、キャスター２８が設置されて自走式構成とされる。このような構成により、フレーム枠体１を壁掛けタイプのように固定せずに、移動したい場所に自由に移動することができて、ごみの廃棄場所を自由に選定することができる上、ごみの廃棄のためにごみの収集場所に容易にフレーム枠体１ごと運搬することが可能となる。また、伸縮する横パイプ３については、図８（Ｂ）（Ｃ）のように、ハンガー式吊り具５におけるフック部材６が横方向にずれないように、吊り溝２９や着脱自在な係止ピン３０等が設けられる。また図８（Ｄ）に示すように、横パイプ３をカーテンレールのように構成して、フック部材を吊り下げるための吊り輪３１を多数スライド自在に設置することもできる。
【実施例９】
【００２４】
図９は本発明のハンガー式ごみ収納装置の第９実施例で、フレーム枠体がカーテン等の目隠しを有する型の全体斜視図である。本実施例では、図示の例のようにキャスタ２８を設置した自走式でもよいし、図１の実施例１のもののように壁固定式でもよい。天板３２の周囲にカーテンレールを設置し、このような構成により、ごみ収納単位が多数吊り下げられたフレーム枠体１の全体を、カーテン３３等の目隠し部材にて覆うことができ、透明のごみ袋Ｇ等を使用して場合等に内容物が外部に露呈することを有効に防止できて、見栄えがよくなる。
【００２５】
以上、本発明の実施例について説明してきたが、本発明の趣旨の範囲内にて、フレーム枠体の形状（板状、中空状、その断面形状も円形、角形、多角形等適宜選定できる。正面視形状も円弧形等が採用でき、必ずしも方形でなくてもよい）、形式（壁固定式、自走式、スライド式等）および材質（金属、木材、強化プラスチック等）、横パイプの形状、形式および材質もフレーム枠体と同様である。フック部材（クエスチョンマーク形、抜止めが形成されてもよい）およびごみ投入口の形状（枠体の周辺部により区画された形状の他、適宜の形状の孔を穿設してもよい）を含むハンガー式吊り具の形状、形式（把手挿入部のみの構成、吊り具ブラケットとの組合せ構成、枠部材によるごみ袋またはごみ箱の吊り下げ形式の他、適宜のごみ袋等の係止形態が採用され得る）、把手挿入部の形状（好適には、挿入部は狭く形成されるが、ごみ袋の把手挿入後にワンタッチ式にて挿入口を閉じるように構成することもできる）、吊り具ブラケットの形状、復元軸着形態（好適には、コイルばねが軸の周囲に配設される）、ごみ袋の上縁部挟持用の突起部および溝部の形状（単条でも複数でもよい。また、微細な凹凸を設けた摩擦面としてもよい）、放射枠または横架枠の形状、形式（枠部材と同材でも、別材でもよい。それらの断面形状も適宜採用できる）、枠部材周囲の係止溝の断面形状、係止バンドの形式（無端状ゴムバンド、スプリングの他、硬質部材と弾性部材の交互配設等）、ごみ箱の形状（枠部材の受け溝部に整合すれば、ごみ箱自体は直方体等の他、平面視円形や多角形等でもよい）、挿入フランジを受け入れる受け溝部の形状（水平状でもよいし、逆台形断面でもよい）、鋲部材、カーテン等の目隠し部材、キャスター、フレーム枠体および横パイプの伸縮形態（摺動固定、ねじ込み等）等については適宜選定できる。
【図面の簡単な説明】
【００２６】
【図１】本発明のハンガー式ごみ収納装置の第１実施例で、壁掛け型のフレーム枠体の横パイプにごみ収納単位が吊り下げられた状態を示す全体斜視図である。
【図２】本発明の第２実施例で、ハンガー式吊り具の正面図である。
【図３】本発明の第３実施例で、係止バンドを用いた枠部材からなるハンガー式吊り具の斜視図である。
【図４】本発明の第４実施例で、鋲部材が設置された枠部材から構成されたハンガー式吊り具の斜視図である。
【図５】本発明の第５実施例で、復元軸着式の変形型のハンガー式吊り具の斜視図である。
【図６】本発明の第６実施例で、ごみ箱が吊り下げられたハンガー式吊り具の斜視図である。
【図７】本発明の第７実施例で、区画板型のハンガー式吊り具の斜視図である。
【図８】本発明の第８実施例で、自走式でフレーム枠体および横パイプが伸縮する型の全体斜視図である。
【図９】本発明の第９実施例で、フレーム枠体がカーテン等の目隠しを有する型の全体斜視図である。
【図１０】従来の壁掛け式のごみ箱の説明図である。
【符号の説明】
【００２７】
１      フレーム枠体
１Ａ      縦枠
１Ｂ      横枠
２      ブラケット
３      横パイプ
４      取付ビス
５      ハンガー式吊り具
６      フック部材
７      把手挿入部
８      ごみ投入口
Ｒ      ごみ袋（レジ袋等）
Ｗ      壁面
【図１】
2006298593.tif 000003
【図２】
2006298593.tif 000004
【図３】
2006298593.tif 000005
【図４】
2006298593.tif 000006
【図５】
2006298593.tif 000007
【図６】
2006298593.tif 000008
【図７】
2006298593.tif 000009
【図８】
2006298593.tif 000010
【図９】
2006298593.tif 000011
【図１０】
2006298593.tif 000012